(57)【特許請求の範囲】
【請求項１】
２つの同一の板金部材を軸方向に重ね合わせた状態で接合することによって形成され、軸を受ける軸受部と、長尺物と係合するリム部と、前記板金部材同士を接合するときに嵌合させる嵌合部とを有し、前記長尺物の移動に伴って回転する従動ホイールであって、
前記嵌合部は、前記板金部材に対して当該板金部材の周方向の一端側でのみ繋がる形状に前記各板金部材から各々切り起こした部分を前記板金部材における前記軸受部を形成する部分である軸受部形成部が突出する側の面とは反対側の面に沿って延びるように曲げ加工を行うことによって形成される弾性変形可能な嵌合舌片部と、前記各板金部材における前記各嵌合舌片部が切り起こされた部分に前記嵌合舌片部とは前記軸方向において重なる形状で形成される貫通孔と、を含んで構成され、
前記嵌合舌片部は、前記貫通孔に嵌合した状態において当該貫通孔の周縁に対して前記板金部材の周方向の一端側で係止可能に屈曲した形状の基端側屈曲部を有し、
２つの前記板金部材は、互いの前記嵌合舌片部同士が前記板金部材の周方向で隣り合うように前記板金部材同士を前記軸方向に重ね合わせた状態で相対回転されることによって、一方の前記板金部材における前記嵌合舌片部及び前記貫通孔と他方の前記板金部材における前記貫通孔及び前記嵌合舌片部とが同時に嵌合することを特徴とする従動ホイール。
【請求項２】
前記軸受部と前記リム部とを連結する連結部をさらに備え、
前記嵌合部は、前記各板金部材における前記連結部を形成する部分である連結部形成部に設けられていることを特徴とする請求項１に記載の従動ホイール。
【請求項３】
前記嵌合部は、前記板金部材の周方向に等間隔となるように複数配置されていることを特徴とする請求項１又は請求項２に記載の従動ホイール。
【発明の詳細な説明】
【技術分野】
【０００１】
本発明は、例えばチェーンなどの長尺物と係合するように配置され、長尺物の移動に伴って回転する従動ホイールに関する。
【背景技術】
【０００２】
従来、この種の従動ホイールとしては、例えば下水処理場の汚泥掻き寄せ機に備えられたものが知られている（例えば、特許文献１参照）。こうした汚泥掻き寄せ機は、沈殿槽と、当該沈殿槽内の上端部から底部にわたって配置されて固形物を掻き寄せるための掻き寄せ板が間隔を置いて複数取り付けられた無端状のチェーンと、当該チェーンに掛架された駆動スプロケット及び従動スプロケット（従動ホイール）とを備えている。
【０００３】
従動スプロケットは、内筒と、内筒を囲む外筒と、内筒の外周面と外筒の内周面とを連結する複数のスポークとを備えている。外筒の両周縁部には、それぞれフランジ部が設けられている。チェーンは、２つのフランジ部間において外筒の外周面に接触し、移動時に発生する当該外周面との摩擦力によって従動スプロケットを回転させる。
【０００４】
そして、駆動スプロケットが回転駆動されると、チェーンが沈殿槽に貯留された下水の液面から沈殿槽の底部の間を周回するように移動し、従動スプロケットが回転する。これにより、チェーンが円滑に移動され、下水の液面に浮かぶスカムや沈殿槽の底部に貯まった汚泥などが掻き寄せ板によって掻き寄せられる。
【先行技術文献】
【特許文献】
【０００５】
【特許文献１】特開２０１４−２３１８８３号公報
【発明の概要】
【発明が解決しようとする課題】
【０００６】
ところで、上述のような従動スプロケットは、合成樹脂製にすると、チェーンが金属製である場合に耐摩耗性が不足する。このため、従動スプロケットを金属製にすると、耐摩耗性は確保できるものの、外筒、内筒、及びスポークなどの互いに異なる複数の部材を必要とするため、製造に必要な部材の種類数が増加してしまうという問題がある。
【０００７】
本発明は、このような従来技術に存在する問題点に着目してなされたものである。その目的とするところは、製造に必要な部材の種類数を低減することができる金属製の従動ホイールを提供することにある。
【課題を解決するための手段】
【０００８】
以下、上記課題を解決するための手段及びその作用効果について記載する。
上記課題を解決する従動ホイールは、軸を受ける軸受部と、長尺物と係合するリム部とを有し、前記長尺物の移動に伴って回転する従動ホイールであって、複数の同一の板金部材を接合することによって形成される。
【０００９】
この構成によれば、金属製の従動ホイールは１種類の板金部材を複数接合することによって形成されるので、金属製の従動ホイールの製造に必要な部材の種類数を低減することができる。
【００１０】
上記従動ホイールにおいて、前記各板金部材は、嵌合部を有しており、複数の前記板金部材は、それらの前記嵌合部同士を嵌合させることによって接合されることが好ましい。
この構成によれば、複数の板金部材同士を接合する際に溶接工程が不要となるため、金属製の従動ホイールを効率よく製造することができる。
【００１１】
上記従動ホイールにおいて、前記軸受部と前記リム部とを連結する連結部をさらに備え、前記嵌合部は、前記各板金部材における前記連結部を形成する部分である連結部形成部に設けられていることが好ましい。
【００１２】
この構成によれば、軸受部及びリム部の機能に影響を与えることなく、各板金部材に嵌合部を設けることができる。
上記従動ホイールにおいて、前記嵌合部は、前記各板金部材を切り起こすことによって形成されることが好ましい。
【００１３】
この構成によれば、板金部材の一部によって嵌合部が形成されるので、部品点数を増やすことなく嵌合部を形成することができる。
上記従動ホイールにおいて、２つの同一の前記板金部材を軸方向に重ね合わせた状態で接合することによって形成され、前記嵌合部は、前記板金部材の周方向に等間隔となるように複数配置されていることが好ましい。
【００１４】
この構成によれば、２つの同一の板金部材同士を、バランスよく安定して接合することができる。
上記従動ホイールにおいて、前記嵌合部同士が嵌合する嵌合方向は、前記板金部材の周方向に沿っており、２つの前記板金部材は、それらの複数の前記嵌合部同士が前記周方向で隣り合うように重ね合わせた状態で相対回転させることによって、それらの複数の前記嵌合部同士が同時に嵌合することが好ましい。
【００１５】
この構成によれば、２つの同一の板金部材における複数の嵌合部同士を、効率よく嵌合させることができる。
【発明の効果】
【００１６】
本発明によれば、製造に必要な部材の種類数を低減することができる。
【図面の簡単な説明】
【００１７】
【図１】一実施形態の汚泥掻き寄せ機の概略構成を示す模式斜視図。
【図２】汚泥掻き寄せ機の従動スプロケットの平面図。
【図３】図２の３−３線矢視断面図。
【図４】従動スプロケットを構成する板金部材の一方側から見たときの斜視図。
【図５】従動スプロケットを構成する板金部材の他方側から見たときの斜視図。
【図６】２つの板金部材を軸方向に重ね合わせたときの状態を示す平面図。
【図７】図６の要部拡大断面図。
【図８】２つの板金部材の嵌合舌片部同士を嵌合させて従動スプロケットを形成したときの状態を示す要部拡大断面図。
【図９】変更例の板金部材の要部拡大模式図。
【図１０】変更例の従動スプロケットの要部拡大断面模式図。
【図１１】変更例の２つの板金部材を軸方向に重ね合わせたときの状態を示す要部拡大断面図。
【図１２】図１１の２つの板金部材の嵌合舌片部同士を嵌合させて従動スプロケットを形成したときの状態を示す要部拡大断面図。
【発明を実施するための形態】
【００１８】
以下、従動ホイールを汚泥掻き寄せ機の従動スプロケットとして用いた一実施形態を図面に従って説明する。
図１に示すように、汚泥掻き寄せ機１１は、下水が貯留される横長の直方体状をなす沈殿槽１２を備えている。沈殿槽１２の底部における長手方向の一端部には、下水に含まれる汚泥を集積させるための汚泥ピット１３が沈殿槽１２の短手方向に延びるように凹設されている。
【００１９】
沈殿槽１２の長手方向に沿った両側壁１４の上部における一端部には、一対の駆動スプロケット１５が沈殿槽１２の短手方向において互いに対向するように回転可能に設けられている。一対の駆動スプロケット１５は、沈殿槽１２の短手方向に延びるシャフト１６によって連結されている。
【００２０】
一対の駆動スプロケット１５のうちの一方には、この一方の駆動スプロケット１５を回転駆動するためのモーター（図示略）が連結されている。そして、モーター（図示略）を駆動すると、一方の駆動スプロケット１５が回転され、その回転力がシャフト１６を介して他方の駆動スプロケット１５に伝達される。したがって、一対の駆動スプロケット１５は、同期して回転する。
【００２１】
沈殿槽１２の両側壁１４の上部における長手方向の中央部よりもやや駆動スプロケット１５とは反対側寄りの位置及び沈殿槽１２の両側壁１４の下部における長手方向の両端部には、従動ホイールの一例としての従動スプロケット１７がそれぞれ対をなすように軸１８を介して回転可能に設けられている。各対の従動スプロケット１７は、沈殿槽１２の短手方向において互いに対向している。各軸１８は沈殿槽１２の短手方向に沿って延びており、各対の従動スプロケット１７は各軸１８を回転中心として回転する。
【００２２】
沈殿槽１２の両側壁１４に沿ってそれぞれ配置された１つの駆動スプロケット１５及び３つの従動スプロケット１７には、これらを囲むように長尺物の一例としての無端状のチェーン１９がそれぞれ巻き掛けられている。これら２つのチェーン１９は、対をなすように配置され、沈殿槽１２の短手方向において互いに対向している。２つのチェーン１９間には、略矩形状をなす掻き寄せ板２０が、チェーン１９の延びる方向に沿ってほぼ等間隔となるように、チェーン１９全体にわたって複数架設されている。
【００２３】
そして、駆動スプロケット１５が正転（図１における反時計方向に回転）されると、２つのチェーン１９が同期して周回するように移動するため、このチェーン１９の移動に伴って、各従動スプロケット１７が回転するとともに各掻き寄せ板２０が移動する。これにより、複数の掻き寄せ板２０のうち、沈殿槽１２の上部に位置する掻き寄せ板２０は、沈殿槽１２内にて浮上した下水に含まれるスカムを長手方向の他端側（図１における左側、すなわち図１に示した矢印の方向）へ掻き寄せる。
【００２４】
一方、複数の掻き寄せ板２０のうち、沈殿槽１２の下部に位置する掻き寄せ板２０は、沈殿槽１２の底部に沈殿した汚泥を長手方向の一端側（図１における右側、すなわち図１に示した白抜き矢印の方向）へ掻き寄せて、汚泥ピット１３へと導く。
【００２５】
次に、従動スプロケット１７の構成について詳述する。
図２及び図３に示すように、従動スプロケット１７は、軸１８を受ける軸受部２５と、チェーン１９が巻き掛けられるリム部２６と、軸受部２５とリム部２６とを連結する連結部２７とを有し、チェーン１９の移動に伴って軸１８とともに一体回転する。従動スプロケット１７は、２つの同一の円形状の板金部材３１を軸方向Ｘに重ね合わせた状態で接合することによって形成される。
【００２６】
軸受部２５は、軸１８が一体回転可能に挿嵌される円筒状をなしており、従動スプロケット１７の両側面から軸方向Ｘに突出している。リム部２６は、断面視で略Ｕ字状をなしており、巻き掛けられたチェーン１９と係合する円環板状の係合部２６ａと、係合部２６ａに設けられて係合部２６ａと係合したチェーン１９を軸方向Ｘの両側からガイドする円環板状の一対のフランジ部２６ｂとを備えている。連結部２７は、円環板状をなしており、連結部２７の中心部に位置するリム部２６と、連結部２７の周縁部に位置するリム部２６とを連結している。
【００２７】
次に、板金部材３１の構成について詳述する。
図３及び図４に示すように、本実施形態における板金部材３１は、１枚のステンレス鋼の板材を絞りプレス加工することによって形成される。そして、板金部材３１は、軸受部２５を形成する部分である円筒状の軸受部形成部３２と、リム部２６を形成する部分である断面視略Ｌ字板状をなす円環状のリム部形成部３３と、連結部２７を形成する部分である円環板状の連結部形成部３４とを備えている。
【００２８】
すなわち、図４及び図５に示すように、板金部材３１は、連結部形成部３４と、連結部形成部３４の中心部における一方側の面に軸方向Ｘに沿って突設された軸受部形成部３２と、連結部形成部３４の周縁部における一方側の面に軸方向Ｘに沿って突設されたリム部形成部３３とを備えている。リム部形成部３３は、連結部形成部３４の周縁部から軸方向Ｘに沿って延びた後、湾曲して連結部形成部３４の径方向の外側に向かって斜めに延びている。
【００２９】
すなわち、リム部形成部３３は、軸方向Ｘに沿って延びる基端側のほぼ半分が基部３３ａとされ、連結部形成部３４の径方向の外側に向かって斜めに延びる先端側のほぼ半分が傾斜部３３ｂとされている。この場合、基部３３ａと傾斜部３３ｂとのなす角度は、鈍角となるように設定されることが好ましく、本実施形態では１００°程度となるように設定されている。なお、図３及び図４に示すように、リム部形成部３３の基部３３ａ及び傾斜部３３ｂは、リム部２６の係合部２６ａ及びフランジ部２６ｂをそれぞれ形成する。
【００３０】
図４及び図５に示すように、板金部材３１の連結部形成部３４には、軸受部形成部３２を囲むように複数（本実施形態では４つ）の嵌合部の一例としての嵌合舌片部３５が形成されている。これら４つの嵌合舌片部３５は、板金部材３１の周方向に等間隔（本実施形態では９０°間隔）となるように配置されている。さらに、これら４つの嵌合舌片部３５は、板金部材３１の径方向における軸受部形成部３２とリム部形成部３３との間のほぼ中央部に位置している。
【００３１】
そして、２つの板金部材３１は一方の板金部材３１の４つの嵌合舌片部３５を他方の板金部材３１の４つの嵌合舌片部３５とそれぞれ嵌合させることで接合される。すなわち、２つの板金部材３１は、それらの４つずつの嵌合舌片部３５同士をそれぞれ嵌合させることによって接合される。そして、これら２つの板金部材３１の接合により、従動スプロケット１７（図３参照）が形成される。
【００３２】
各嵌合舌片部３５は、連結部形成部３４の一部を切り起こした後、その切り起こした部分を連結部形成部３４に沿って延びるように曲げ加工を行うことによって形成される。各嵌合舌片部３５は略四角板状をなしており、連結部形成部３４における４つの嵌合舌片部３５がそれぞれ切り起こされた部分には各嵌合舌片部３５とほぼ同じ略四角形状の貫通孔３６が形成される。
【００３３】
各嵌合舌片部３５と各貫通孔３６とは、ほぼ各嵌合舌片部３５の厚さ分だけ軸方向Ｘにずれた状態で軸方向Ｘにおいて重なっている。この場合、各嵌合舌片部３５は、連結部形成部３４における軸受部形成部３２が突出する側の面とは反対側の面よりも軸方向Ｘにおける軸受部形成部３２側とは反対側に突出している。
【００３４】
図５及び図７に示すように、各嵌合舌片部３５は、板金部材３１の径方向の両側が周方向に沿う円弧状をなし、且つ板金部材３１の周方向の両側が板金部材３１の半径に沿う直線状をなしている。そして、各嵌合舌片部３５は、板金部材３１の周方向の一端側（図５では反時計方向側）でのみ連結部形成部３４と繋がっている。
【００３５】
各嵌合舌片部３５は、板金部材３１の周方向の基端に連結部形成部３４に対して斜めに屈曲された基端側屈曲部３５ａを有し、且つ板金部材３１の周方向の先端に連結部形成部３４に対して斜めに屈曲された先端側屈曲部３５ｂを有している。各嵌合舌片部３５における基端側屈曲部３５ａ及び先端側屈曲部３５ｂは、軸方向Ｘにおける軸受部形成部３２側とは反対側に屈曲され、互いに平行になっている。
【００３６】
次に、従動スプロケット１７を組み立てる際の作用について説明する。
さて、図６及び図７に示すように、従動スプロケット１７を組み立てる場合には、まず、２つの板金部材３１を、それらの４つずつの嵌合舌片部３５同士が板金部材３１の周方向でそれぞれ隣り合うように軸方向Ｘに重ね合わせた状態にする。このとき、一方の板金部材３１の４つの嵌合舌片部３５の先端側屈曲部３５ｂと、他方の板金部材３１の４つの嵌合舌片部３５の先端側屈曲部３５ｂとがそれぞれ板金部材３１の周方向において対向する。
【００３７】
続いて、２つの板金部材３１を、それらの中心を回転中心としてそれらの対応する４つずつの嵌合舌片部３５同士がそれぞれ近づくように相対回転させる。すると、一方の板金部材３１の４つの嵌合舌片部３５の先端側屈曲部３５ｂと、他方の板金部材３１の４つの嵌合舌片部３５の先端側屈曲部３５ｂとがそれぞれ同時に接触する。
【００３８】
引き続き、２つの板金部材３１を相対回転させると、一方の板金部材３１の４つの嵌合舌片部３５の先端側屈曲部３５ｂが他方の板金部材３１の４つの嵌合舌片部３５を一方の板金部材３１の４つの貫通孔３６に導く。これと同時に、他方の板金部材３１の４つの嵌合舌片部３５の先端側屈曲部３５ｂが一方の板金部材３１の４つの嵌合舌片部３５を他方の板金部材３１の４つの貫通孔３６に導く。
【００３９】
引き続き、２つの板金部材３１を相対回転させると、一方の板金部材３１の４つの嵌合舌片部３５及び他方の板金部材３１の４つの嵌合舌片部３５がそれぞれ弾性変形しながら、それらの内面同士がそれぞれ摺動し合う。引き続き、２つの板金部材３１を相対回転させると、図８に示すように、２つの板金部材３１の４つずつの嵌合舌片部３５が互いに相手側の４つの貫通孔３６にそれぞれ収容されて、各嵌合舌片部３５が自らの弾性復元力により弾性変形していた状態から弾性変形する前の元の状態に戻る。
【００４０】
このとき、２つの板金部材３１のそれぞれの４つの嵌合舌片部３５の先端側屈曲部３５ｂは、互いに相手側の４つの嵌合舌片部３５の基端側屈曲部３５ａにそれぞれ当接し、且つ２つの板金部材３１の連結部形成部３４同士が接触する。これにより、２つの板金部材３１の４つずつの嵌合舌片部３５同士が同時に嵌合することで、２つの板金部材３１が接合されて、従動スプロケット１７の組み立て作業が完了する。
【００４１】
なお、２つの板金部材３１を相対回転させることで、これらの４つずつの嵌合舌片部３５同士が同時に嵌合するため、これらの嵌合舌片部３５同士がそれぞれ嵌合する嵌合方向は、板金部材３１の周方向に沿った方向であると言える。このように、本実施形態の従動スプロケット１７は、工具や治具などを必要とすることなく、手作業でも容易に組み立てることができる。
【００４２】
以上詳述した実施形態によれば、次のような効果が発揮される。
（１）従動スプロケット１７は、２つの同一の板金部材３１を接合することによって形成される。すなわち、金属製の従動スプロケット１７は、１種類の板金部材３１を２つ接合することによって形成される。このため、従動スプロケット１７の製造に必要な部材の種類数を低減することができる。加えて、従動スプロケット１７は、板金部材３１を形成するための金型が１つあれば製造できるので、寸法がばらつくことを抑制できる。
【００４３】
（２）従動スプロケット１７を構成する２つの板金部材３１はそれぞれの嵌合舌片部３５を有しており、２つの板金部材３１はそれらの４つずつの嵌合舌片部３５同士を嵌合させることによって接合される。このため、２つの板金部材３１同士を接合する際の溶接工程やボルトとナットによる締結工程が不要となるため、従動スプロケット１７を効率よく製造することができる。
【００４４】
（３）従動スプロケット１７は軸受部２５とリム部２６とを連結する連結部２７を備え、各嵌合舌片部３５は各板金部材３１における連結部２７を形成する部分である連結部形成部３４に設けられている。このため、軸受部２５及びリム部２６の機能に影響を与えることなく、各板金部材３１に各嵌合舌片部３５を設けることができる。
【００４５】
（４）従動スプロケット１７における各嵌合舌片部３５は、板金部材３１の連結部形成部３４の一部を切り起こすことによって形成される。このため、板金部材３１の連結部形成部３４の一部によって嵌合舌片部３５が形成されるので、部品点数を増やすことなく板金部材３１に嵌合舌片部３５を形成することができる。
【００４６】
（５）従動スプロケット１７を構成する板金部材３１の４つの嵌合舌片部３５は、板金部材３１の周方向に等間隔となるように配置されている。このため、２つの板金部材３１同士を、位置決めしながらバランスよく安定して嵌合（接合）することができる。
【００４７】
（６）従動スプロケット１７において、嵌合舌片部３５同士が嵌合する嵌合方向は、板金部材３１の周方向に沿っており、２つの板金部材３１は、それらの４つの嵌合舌片部３５同士が周方向で隣り合うように重ね合わせた状態で相対回転させることによって、それらの４つずつの嵌合舌片部３５同士が同時に嵌合する。このため、２つの板金部材３１における４つずつの嵌合舌片部３５同士を、効率よく嵌合させることができる。
【００４８】
（７）従動スプロケット１７は、ステンレス鋼によって構成されているため、合成樹脂製のものに比べて、酸（酸性の下水など）に対する耐性を高めることができる。
（８）従動スプロケット１７の軸受部２５は、絞りプレス加工された２つの板金部材３１の軸受部形成部３２によって形成されているため、軸１８を受ける軸受部２５の内周面（軸受面）が粗くなっている。このため、軸受部２５に対する軸１８の摺動が抑制されるので、軸受部２５の摩耗を抑制できる。
【００４９】
（変更例）
なお、上記実施形態は次のように変更してもよい。
・図９に示すように、板金部材３１は、嵌合舌片部３５の代わりに嵌合部の一例としての矩形Ｌ字板状の凸部４０を周縁全体に等間隔で複数形成するようにしてもよい。この場合、各凸部４０は、軸方向Ｘの一方側に向かってほぼ真っ直ぐに延びた後、板金部材３１の径方向の外側に向かって屈曲している。そして、図１０に示すように、２つの板金部材３１を軸方向Ｘに重ね合わせつつ、一方の板金部材３１の各凸部４０間に他方の板金部材３１の各凸部４０を嵌合させて２つの板金部材３１を接合することにより、従動スプロケット１７が形成される。この場合、従動スプロケット１７における一方の板金部材３１の各凸部４０と他方の板金部材３１の各凸部４０との間の領域にチェーン１９が巻き掛けられる。したがって、一方の板金部材３１の各凸部４０と他方の板金部材３１の各凸部４０とによってリム部２６が形成される。
【００５０】
・図１１に示すように、板金部材３１の各嵌合舌片部３５の基端側屈曲部３５ａと先端側屈曲部３５ｂとの間において、内側が窪むように湾曲されてなる湾曲凹部４１を基端側屈曲部３５ａと隣り合うように形成し、且つ内側に突出するように湾曲されてなる湾曲凸部４２を先端側屈曲部３５ｂと隣り合うように形成してもよい。この場合、一の板金部材３１の嵌合舌片部３５の湾曲凹部４１は、他の板金部材３１の嵌合舌片部３５の湾曲凸部４２と嵌合可能に構成される。そして、図１１に示すように、２つの板金部材３１を、それらの４つずつの嵌合舌片部３５同士が板金部材３１の周方向でそれぞれ隣り合うように軸方向Ｘに重ね合わせた状態で相対回転させると、図１２に示すように、２つの板金部材３１の４つずつの嵌合舌片部３５同士がそれぞれ嵌合されて従動スプロケット１７が形成される。このとき、一方の板金部材３１の各嵌合舌片部３５の湾曲凹部４１及び湾曲凸部４２と、他方の板金部材３１の各嵌合舌片部３５の湾曲凸部４２及び湾曲凹部４１とがそれぞれ嵌合する。このため、２つの板金部材３１の４つずつの嵌合舌片部３５同士の嵌合状態をより一層強固にすることができ、ひいては２つの板金部材３１の接合状態をより一層強固にすることができる。
【００５１】
・板金部材３１に設ける嵌合舌片部３５の数は、３つ以下であってもよいし、５つ以上であってもよい。この場合、板金部材３１に設ける嵌合舌片部３５の数が１つの場合は、嵌合舌片部３５を大きくして中心部付近に配置することが好ましく、板金部材３１に設ける嵌合舌片部３５の数が２つの場合は、中心部を挟んで対向するように嵌合舌片部３５をそれぞれ配置することが好ましい。
【００５２】
・板金部材３１の軸受部形成部３２の形状は、必ずしも円筒状ある必要はなく、例えば楕円筒状、三角筒状や四角筒状などの多角筒状などであってもよい。
・各嵌合舌片部３５は、先端側屈曲部３５ｂを省略してもよい。
【００５３】
・板金部材３１の材質は、鉄やアルミニウムであってもよい。
・２つの板金部材３１の４つずつの嵌合舌片部３５同士が嵌合する嵌合方向は、必ずしも板金部材３１の周方向に沿っている必要はない。
【００５４】
・２つの板金部材３１の４つずつの嵌合舌片部３５同士は、必ずしも同時に嵌合する必要はない。
・従動スプロケット１７を構成する板金部材３１の４つの嵌合舌片部３５は、必ずしも板金部材３１の周方向に等間隔となるように配置される必要はない。すなわち、４つの嵌合舌片部３５は、板金部材３１の周方向にそれぞれ異なる間隔で配置してもよい。
【００５５】
・従動スプロケット１７における各嵌合舌片部３５は、必ずしも板金部材３１の連結部形成部３４の一部を切り起こしによって形成する必要はない。すなわち、各嵌合舌片部３５を板金部材３１とは別部材にし、各嵌合舌片部３５を板金部材３１に対して溶接やボルトなどによって取り付けるようにしてもよい。
【００５６】
・従動スプロケット１７における各嵌合舌片部３５は、必ずしも各板金部材３１における連結部形成部３４に設ける必要はない。
・従動スプロケット１７を構成する２つの板金部材３１は、必ずしもそれらの嵌合舌片部３５同士を嵌合させることによって接合する必要はない。すなわち、２つの板金部材３１は、溶接によって接合するようにしてもよいし、ボルトとナットによって接合するようにしてもよい。
【００５７】
・従動スプロケット１７は、３つ以上の同一の板金部材を接合することによって形成してもよい。この場合、各板金部材は、例えば従動スプロケット１７を扇形状に等分した形状になる。
【００５８】
・従動スプロケット１７は、汚泥掻き寄せ機以外の機械や装置に用いてもよい。例えば、従動スプロケット１７は、所謂アイドルプーリーとして様々な機械や装置に用いてもよい。
【００５９】
・長尺物は、チェーン１９以外に、索、糸、鎖、ベルトなどであってもよい。この場合、長尺物は、必ずしも無端状である必要はない。
【符号の説明】
【００６０】
１７…従動ホイールの一例としての従動スプロケット、１８…軸、１９…長尺物の一例としてのチェーン、２５…軸受部、２６…リム部、２７…連結部、３１…板金部材、３４…連結部形成部、３５…嵌合部の一例としての嵌合舌片部、４０…嵌合部の一例としての凸部、Ｘ…軸方向。
【図１】
0006536216.tif 000002
【図２】
0006536216.tif 000003
【図３】
0006536216.tif 000004
【図４】
0006536216.tif 000005
【図５】
0006536216.tif 000006
【図６】
0006536216.tif 000007
【図７】
0006536216.tif 000008
【図８】
0006536216.tif 000009
【図９】
0006536216.tif 000010
【図１０】
0006536216.tif 000011
【図１１】
0006536216.tif 000012
【図１２】
0006536216.tif 000013